(57)【特許請求の範囲】
【請求項１】
バランサリアクトルを備えてパラレル運転され、出力が結合される第１および第２のインバータ装置と、該第１および第２のインバータ装置の出力側に接続された負荷と、上記第１のインバータ装置の出力電流を検出する第１の電流検出器と、上記第１および第２のインバータ装置の結合された出力電流を検出する第２の電流検出器と、上記第１および第２の電流検出器で検出される各電流値ＩＡ、ＩＢにより、上記バランサリアクトルを介して上記第１および第２のインバータ装置間に流れる循環電流値（ＩＡ−（ＩＢ／２））を演算する手段と、この演算された循環電流値が予め設定された基準値を越えると過電流と判断する手段とを備えたことを特徴とする過電流検出装置。
【請求項２】
バランサリアクトルを備えてパラレル運転され、出力が結合される第１および第２のインバータ装置と、該第１および第２のインバータ装置の出力側に変圧器を介して接続された負荷と、上記第１のインバータ装置の出力電流を検出する第１の電流検出器と、上記第１および第２のインバータ装置の結合された出力電流を上記変圧器の上記負荷側で検出する第２の電流検出器と、上記第１および第２の電流検出器で検出される各電流値ＩＡ、ＩＢおよび上記変圧器の巻き数比ｋにより、上記バランサリアクトルを介して上記第１および第２のインバータ装置間に流れる循環電流値（ＩＡ−（ＩＢ／２ｋ））を演算する手段と、この演算された循環電流値が予め設定された基準値を越えると過電流と判断する手段とを備えたことを特徴とする過電流検出装置。
【請求項３】
バランサリアクトルを備えてパラレル運転され、出力が結合される第１および第２のインバータ装置と、該第１および第２のインバータ装置の出力側に接続された負荷と、上記第１のインバータ装置の出力電流を検出する第１の電流検出器と、上記第１および第２のインバータ装置の結合された出力電流を検出する第２の電流検出器と、上記第１および第２の電流検出器で検出される各電流値ＩＡ、ＩＢにより、上記第２のインバータ装置の出力電流値（ＩＢ−ＩＡ）を演算する手段と、この演算された出力電流値が予め設定された基準値を越えると過電流と判断する手段とを備えたことを特徴とする過電流検出装置。
【請求項４】
バランサリアクトルを備えてパラレル運転され、出力が結合される第１および第２のインバータ装置と、該第１および第２のインバータ装置の出力側に変圧器を介して接続された負荷と、上記第１のインバータ装置の出力電流を検出する第１の電流検出器と、上記第１および第２のインバータ装置の結合された出力電流を上記変圧器の上記負荷側で検出する第２の電流検出器と、上記第１および第２の電流検出器で検出される各電流値ＩＡ、ＩＢおよび上記変圧器の巻き数比ｋにより、上記第２のインバータ装置の出力電流値（（ＩＢ／ｋ）−ＩＡ）を演算する手段と、この演算された出力電流値が予め設定された基準値を越えると過電流と判断する手段とを備えたことを特徴とする過電流検出装置。
【請求項５】
出力電流を検出する電流検出器をそれぞれに備えた複数個の既設インバータ装置が変圧器を介して多段接続されて、第２の電流検出器を備えて負荷に電力を供給し、上記既設インバータ装置のいずれかを第１の電流検出器を備えた第１のインバータ装置として、該第１のインバータ装置にバランサリアクトルを配して第２のインバータ装置を増設して出力電流を増大させ、上記第１および第２の電流検出器で検出される各電流値を用いて、上記バランサリアクトルを介して上記第１および第２のインバータ装置間に流れる循環電流、あるいは上記第２のインバータ装置の出力電流の過電流を検出することを特徴とする請求項１〜４のいずれかに記載の過電流検出装置。
【発明の詳細な説明】
【０００１】
【発明の属する技術分野】
この発明は、バランサリアクトルを用いてインバータ装置を並列運転する場合の、電流検出に関するものである。
【０００２】
【従来の技術】
近年の電源装置は、電動機などの負荷に対して高精度かつ高速な制御が要求されるため、電源装置の内部または負荷の近傍に各種検出器が設置され、各種検出情報に基づいて給電状態を把握しながら、負荷に対する制御を行っている。
この様な従来の制御装置において、制御の異常または電源装置や負荷の故障などに起因する種々の異常は、制御用の各種検出器によって検出され、装置全体の自己保護を実施できる構成となっている。
【０００３】
図５は、例えば、平成２年電気学会産業応用部門全国大会の「ＬＳＭ駆動用ＰＷＭ多重インバータの制御方式」に記載された、従来の異常検出装置を示す回路図である。
ここでは、近年の電動機制御に広く使用されているインバータ装置を適用した場合を示し、３相のうちの１相のみを回路化した状態を示している。
図において、１〜５は半導体素子から成る公知のインバータ装置であり、入力された直流電力を交流電力に変換して出力する。６は各インバータ装置１〜５に直流電圧Ｅｄを供給する直流電源、７〜１０は各インバータ装置１〜４の出力端子に設置された変圧器である。
【０００４】
Ｖ１〜Ｖ５は各インバータ装置１〜５の出力電圧であり、インバータ装置１〜４の出力電圧Ｖ１〜Ｖ４は、変圧器７〜１０の二次側から出力される。Ｖは出力電圧Ｖ１〜Ｖ５を総合した出力電圧、Ｉは出力電圧Ｖにより供給される１相分の出力電流である。インバータ装置１〜５、直流電源６および出力変圧器７〜１０は、交流電力を出力するための電源装置を構成しており、同様の電源装置を併設することにより３相の電源装置と成っている。
１１および１２は、出力電流Ｉが供給される抵抗ＲおよびリアクタンスＬから成る負荷であり、例えば電動機等に相当する。１３は電動機の逆起電力ｅ０を発生する等価的な交流電源であり、その一端は、接地線を介してグランドと直流電源６の中間点とに接続されている。１４は変圧器７〜１０の負荷側で出力電流Ｉを検出する電流検出器である。
なお、変圧器７〜１０のインバータ装置１〜４側、およびインバータ装置５の出力端子には、各出力電流を検出するための電流検出器（図示せず）がそれぞれ設置され、各電流検出値等の各種検出情報により、異常検出を行う。
【０００５】
次に、動作について説明する。
各インバータ装置１〜５からの出力電流を検出する電流検出器、および変圧器７〜１０の負荷側で出力電流Ｉを検出する電流検出器１４で過電流を検出し、インバータ装置１〜５の自己保護を行う。すなわち、装置内に設置された電流検出器のうち少なくとも１つが予め設定された閾値を越えると、過電流が発生したことを検出し、異常と判断する。
【０００６】
【発明が解決しようとする課題】
従来の異常検出装置は、各インバータ装置１〜５のそれぞれにその出力電流を検出する電流検出器を備え、この各電流検出器と変圧器７〜１０の負荷側の電流検出器１４とで検出される各検出値の少なくとも１つが、予め設定された閾値を越えることで、過電流、すなわち異常を検出していた。
ところで、図５に示すような、インバータ装置１〜５、直流電源６および出力変圧器７〜１０で構成される電源装置において、インバータ装置５の出力電流の不足解消等のため、出力電流を増大させるには、インバータ装置５に、他の同様のインバータ装置をバランサリアクトルを配して増設する方法が用いられる。この様な場合、従来の異常検出装置では、増設されたインバータ装置の出力電流を検出する電流検出器が設置されていなければ、バランサリアクトルを介してインバータ装置間に流れる循環電流、あるいは増設されたインバータ装置の出力電流の過電流を検出することができず、バランサリアクトルおよび増設されたインバータ装置の保護が困難であった。
【０００７】
この発明は、上記のような問題点を解消するために成されたものであって、出力電流増大等のため、バランサリアクトルを配して２個の同様のインバータ装置の出力を結合させた装置において、その過電流検出を各インバータ装置のそれぞれに出力電流を検出する電流検出器が無くても可能にし、少ない電流検出器で各インバータ装置およびバランサリアクトルの保護を実施することができる過電流検出装置を提供することを目的とする。
【０００８】
【課題を解決するための手段】
この発明に係わる請求項１記載の過電流検出装置は、バランサリアクトルを備えてパラレル運転され、出力が結合される第１および第２のインバータ装置と、該第１および第２のインバータ装置の出力側に接続された負荷と、上記第１のインバータ装置の出力電流を検出する第１の電流検出器と、上記第１および第２のインバータ装置の結合された出力電流を検出する第２の電流検出器と、上記第１および第２の電流検出器で検出される各電流値ＩＡ、ＩＢにより、上記バランサリアクトルを介して上記第１および第２のインバータ装置間に流れる循環電流値（ＩＡ−（ＩＢ／２））を演算する手段と、この演算された循環電流値が予め設定された基準値を越えると過電流と判断する手段とを備えたものである。
【０００９】
この発明に係わる請求項２記載の過電流検出装置は、バランサリアクトルを備えてパラレル運転され、出力が結合される第１および第２のインバータ装置と、該第１および第２のインバータ装置の出力側に変圧器を介して接続された負荷と、上記第１のインバータ装置の出力電流を検出する第１の電流検出器と、上記第１および第２のインバータ装置の結合された出力電流を上記変圧器の上記負荷側で検出する第２の電流検出器と、上記第１および第２の電流検出器で検出される各電流値ＩＡ、ＩＢおよび上記変圧器の巻き数比ｋにより、上記バランサリアクトルを介して上記第１および第２のインバータ装置間に流れる循環電流値（ＩＡ−（ＩＢ／２ｋ））を演算する手段と、この演算された循環電流値が予め設定された基準値を越えると過電流と判断する手段とを備えたものである。
【００１０】
この発明に係わる請求項３記載の過電流検出装置は、バランサリアクトルを備えてパラレル運転され、出力が結合される第１および第２のインバータ装置と、該第１および第２のインバータ装置の出力側に接続された負荷と、上記第１のインバータ装置の出力電流を検出する第１の電流検出器と、上記第１および第２のインバータ装置の結合された出力電流を検出する第２の電流検出器と、上記第１および第２の電流検出器で検出される各電流値ＩＡ、ＩＢにより、上記第２のインバータ装置の出力電流値（ＩＢ−ＩＡ）を演算する手段と、この演算された出力電流値が予め設定された基準値を越えると過電流と判断する手段とを備えたものである。
【００１１】
この発明に係わる請求項４記載の過電流検出装置は、バランサリアクトルを備えてパラレル運転され、出力が結合される第１および第２のインバータ装置と、該第１および第２のインバータ装置の出力側に変圧器を介して接続された負荷と、上記第１のインバータ装置の出力電流を検出する第１の電流検出器と、上記第１および第２のインバータ装置の結合された出力電流を上記変圧器の上記負荷側で検出する第２の電流検出器と、上記第１および第２の電流検出器で検出される各電流値ＩＡ、ＩＢおよび上記変圧器の巻き数比ｋにより、上記第２のインバータ装置の出力電流値（（ＩＢ／ｋ）−ＩＡ）を演算する手段と、この演算された出力電流値が予め設定された基準値を越えると過電流と判断する手段とを備えたものである。
【００１２】
この発明に係わる請求項５記載の過電流検出装置は、請求項１〜４のいずれかにおいて、出力電流を検出する電流検出器をそれぞれに備えた複数個の既設インバータ装置が変圧器を介して多段接続されて、第２の電流検出器を備えて負荷に電力を供給し、上記既設インバータ装置のいずれかを第１の電流検出器を備えた第１のインバータ装置として、該第１のインバータ装置にバランサリアクトルを配して第２のインバータ装置を増設して出力電流を増大させ、上記第１および第２の電流検出器で検出される各電流値を用いて、上記バランサリアクトルを介して上記第１および第２のインバータ装置間に流れる循環電流、あるいは上記第２のインバータ装置の出力電流の過電流を検出するものである。
【００１３】
【発明の実施の形態】
実施の形態１．
以下、この発明の実施の形態１を図に基づいて説明する。
図１は、この発明の実施の形態１による過電流検出装置を示す回路図で、この場合も、インバータ装置の３相のうちの１相のみを回路化した状態を示している。
図において、１５〜２０は半導体素子から成る公知のインバータ装置であり、特に、１９および２０は同様に構成され、バランサリアクトル２１を介して接続されてパラレル運転される第１のインバータ装置および第２のインバータ装置である。また、２２は各インバータ装置１５〜２０に直流電圧Ｅｄを供給する直流電源、２３〜２６は各インバータ装置１５〜１８の出力端子に設置された変圧器であり、この変圧器２３〜２６を介して、各インバータ装置１５〜１８および結合された第１および第２のインバータ装置１９、２０が多段接続されて負荷に電力を供給する。
【００１４】
Ｖ１〜Ｖ４は変圧器２３〜２６の負荷側から出力されるインバータ装置１５〜１８の出力電圧、Ｖ５は第１および第２のインバータ装置１９、２０の結合された出力電圧、Ｖは出力電圧Ｖ１〜Ｖ５を総合した出力電圧、Ｉは出力電圧Ｖにより供給される１相分の出力電流で、第１および第２のインバータ装置１９、２０の結合された出力電流でもある。このように、インバータ装置１５〜２０、バランサリアクトル２１、直流電源２２および出力変圧器２３〜２６は、交流電力を出力するための電源装置を構成しており、同様の電源装置を併設することにより３相の電源装置と成っている。
また、２７は第１のインバータ装置１９の出力電流を検出する第１の電流検出器、２８は変圧器２３〜２６の負荷側で出力電流Ｉを検出する第２の電流検出器であり、また、変圧器２３〜２６のインバータ装置１５〜１８側には、各インバータ装置１５〜１８の出力電流を検出するための電流検出器（図示せず）がそれぞれ設置され、各電流検出値等の各種検出情報により、異常検出を行う。
【００１５】
ＲおよびＬは、出力電流Ｉが供給される、例えば電動機等に相当する負荷としての抵抗およびリアクタンスであり、２９は電動機の逆起電力ｅ０を発生する等価的な交流電源であり、その一端は、接地線を介してグランドと直流電源２２の中間点とに接続されている。
また、図１の回路図には図示しないが、この過電流検出装置は、第１および第２の電流検出器２７、２８で検出される各電流値ＩＡ、ＩＢにより、バランサリアクトル２１を介して第１および第２のインバータ装置１９、２０間に流れる循環電流値を演算する手段と、この循環電流値が予め設定された閾値を越えると過電流と判断する手段を有する。
【００１６】
次に、動作について説明する。
出力電流をＩａに制御された第１のインバータ装置１９と、出力電流をＩｂに制御された第２のインバータ装置２０とをパラレル運転すると、これらのインバータ装置１９、２０間でバランサリアクトル２１を介して循環電流Ｉｃが流れる。ここで、Ｉａは第１のインバータ装置１９の電流指令値、Ｉｂは第２のインバータ装置２０の電流指令値であり、第１および第２のインバータ装置１９、２０は、同様に構成されてパラレル運転されるもので、同じ出力電流になるように制御されるため、Ｉａ＝Ｉｂである。この様に電流指令値Ｉａ、Ｉｂは等しいが、制御異常の場合、もしくは両回路のインピーダンスの差等から循環電流Ｉｃが流れるものである。
この循環電流Ｉｃは、バランサリアクトル２１の鉄心を飽和させないために、所定の値以下に抑えておく必要があり、予め設定された閾値を超える過電流を検出することにより、バランサリアクトル２１を保護する。
【００１７】
この循環電流Ｉｃの過電流検出について以下に示す。
第１の電流検出器２７（検出電流値ＩＡ）では、第１のインバータ装置１９の出力電流が検出され、
ＩＡ＝Ｉａ＋Ｉｃ
第２の電流検出器２８（検出電流値ＩＢ）では、第１および第２のインバータ装置１９、２０の結合された出力電流Ｉが検出され、
ＩＢ＝Ｉａ＋Ｉｂ
ここでＩａ＝Ｉｂであるため、
ＩＢ＝２Ｉａ
従って、
Ｉｃ＝（ＩＡ−（ＩＢ／２））  となる。
【００１８】
この実施の形態では、第１の電流検出器２７による検出電流値ＩＡと第２の電流検出器２８による検出電流値ＩＢとを用いて、バランサリアクトル２１を介して第１および第２のインバータ装置１９、２０間に流れる循環電流値Ｉｃを、（ＩＡ−（ＩＢ／２））で演算し、この演算された循環電流値Ｉｃが、予め設定された閾値を超えると過電流が発生したことを検出し、異常と判断する。
この様に、第１のインバータ装置１９の出力電流を検出する第１の電流検出器２７からの値と、変圧器２３〜２６の負荷側で出力電流Ｉ（第１および第２のインバータ装置１９、２０の結合された出力電流）を検出する第２の電流検出器２８からの値とで、循環電流値Ｉｃを演算して過電流検出を行うため、第２のインバータ装置２０の出力電流を検出する電流検出器が無くても、バランサリアクトル２１の保護が可能になり、検出器が削減できコスト低減も図れる。
【００１９】
また、インバータ装置１５〜１９、直流電源２２および出力変圧器２３〜２６で構成される電源装置を既設のものとして、既設の第１のインバータ装置１９の出力電流の不足解消等のため、出力電流を増大させるためにバランサリアクトル２１を配して第２のインバータ装置２０を増設してパラレル運転する場合、増設インバータ装置としての第２のインバータ装置２０に電流検出器が無くても、バランサリアクトル２１を介して第１および第２のインバータ装置１９、２０間に流れる循環電流の過電流が検出でき、バランサリアクトルの保護が容易に行うことができ、設計上の自由度が向上する。この他、装置製作後に回路変更を行い検出器の設置が困難な場合等にも効果がある。
【００２０】
実施の形態２．
この実施の形態２では、図２に示すように、上記実施の形態１で示した過電流検出装置において、第１および第２のインバータ装置１９、２０の出力側を変圧器３０を介して他のインバータ装置１５〜１８と多段接続したものである。
第２の電流検出器２８による検出電流値ＩＢは、変圧器２３〜２６、３０の負荷側での出力電流Ｉを示すもので、上記変圧器３０の巻き数比をｋとすると、上記変圧器３０のインバータ装置１９、２０側に換算すると、第１および第２のインバータ装置１９、２０の結合された出力電流は（ＩＢ／ｋ）となる。
すなわち、この実施の形態では、第１の電流検出器２７による検出電流値ＩＡと第２の電流検出器２８による検出電流値ＩＢとを用いて、バランサリアクトル２１を介して第１および第２のインバータ装置１９、２０間に流れる循環電流値Ｉｃを、（ＩＡ−（ＩＢ／２ｋ））で演算し、この演算された循環電流値Ｉｃが、予め設定された閾値を超えると過電流が発生したことを検出し、異常と判断する。
【００２１】
この実施の形態２においても、上記実施の形態１と同様に、第２のインバータ装置２０の出力電流を検出する電流検出器が無くても、バランサリアクトル２１の保護が可能になり、検出器が削減できコスト低減が図れる。また、装置製作後に、第２のインバータ装置２０の増設等、回路変更する際、検出器が無くてもバランサリアクトル２１の保護が可能なため、設計上の自由度が向上する。
【００２２】
実施の形態３．
次に、この発明による実施の形態３について、図３に基づいて説明する。この実施の形態では、上記実施の形態１で示した同様の過電流検出装置において、図示しないが、第１および第２の電流検出器２７、２８で検出される各電流値ＩＡ、ＩＢにより、第２のインバータ装置２０の出力電流値を演算する手段と、この出力電流値が予め設定された閾値を越えると過電流と判断する手段を有する。
【００２３】
この第２のインバータ装置２０の出力電流の過電流検出の動作について以下に示す。
第１の電流検出器２７（検出電流値ＩＡ）では、第１のインバータ装置１９の出力電流が検出され、第２の電流検出器２８（検出電流値ＩＢ）では、第１および第２のインバータ装置１９、２０の結合された出力電流Ｉが検出されるため、第２のインバータ装置２０の出力電流値を、（ＩＢ−ＩＡ）で演算し、この演算された出力電流値が、予め設定された閾値を超えると過電流が発生したことを検出し、異常と判断する。
【００２４】
この様に、第１のインバータ装置１９の出力電流を検出する第１の電流検出器２７からの値と、変圧器２３〜２６の負荷側で出力電流Ｉ（第１および第２のインバータ装置１９、２０の結合された出力電流）を検出する第２の電流検出器２８からの値とで、第２のインバータ装置２０の出力電流値を演算して過電流検出を行う。このため、第２のインバータ装置２０の出力電流を検出する電流検出器が無くても、第２のインバータ装置２０の出力電流およびバランサリアクトル２１を流れる過電流が検出でき、第２のインバータ装置２０およびバランサリアクトル２１の保護が可能になり、検出器が削減できコスト低減も図れる。
また、上記実施の形態１と同様に、装置製作後に、第２のインバータ装置２０の増設等、回路変更する際、検出器が無くても第２のインバータ装置２０およびバランサリアクトル２１の保護が可能なため、設計上の自由度が向上する。
【００２５】
なお、この実施の形態では、第２のインバータ装置２０の出力電流値を演算して過電流検出を行う過電流検出装置について示したが、上記実施の形態１で示した、バランサリアクトル２１を介して第１および第２のインバータ装置１９、２０間に流れる循環電流値Ｉｃを演算して過電流検出を行う手段を併せ持つと、双方の過電流検出を実施できる信頼性の高い過電流検出装置が得られる。
【００２６】
実施の形態４．
この実施の形態４では、図４に示すように、上記実施の形態３で示した過電流検出装置において、第１および第２のインバータ装置１９、２０の出力側を変圧器３０を介して他のインバータ装置１５〜１８と多段接続したものである。
上記実施の形態２で示したように、第２の電流検出器２８による検出電流値ＩＢは、変圧器２３〜２６、３０の負荷側での出力電流Ｉを示すもので、上記変圧器３０の巻き数比をｋとすると、上記変圧器３０のインバータ装置１９、２０側に換算すると、第１および第２のインバータ装置１９、２０の結合された出力電流は（ＩＢ／ｋ）となる。
すなわち、この実施の形態では、第１の電流検出器２７による検出電流値ＩＡと第２の電流検出器２８による検出電流値ＩＢとを用いて、第２のインバータ装置２０の出力電流値を、（（ＩＢ／ｋ）−ＩＡ）で演算し、この演算された出力電流値が、予め設定された閾値を超えると過電流が発生したことを検出し、異常と判断する。
【００２７】
この実施の形態４においても、上記実施の形態３と同様に、第２のインバータ装置２０の出力電流を検出する電流検出器が無くても、第２のインバータ装置２０およびバランサリアクトル２１の保護が可能になり、検出器が削減できコスト低減が図れる。また、装置製作後に、第２のインバータ装置２０の増設等、回路変更する際、検出器が無くてもバランサリアクトル２１の保護が可能なため、設計上の自由度が向上する。
また、上記実施の形態２で示した、バランサリアクトル２１を介して第１および第２のインバータ装置１９、２０間に流れる循環電流値Ｉｃを演算して過電流検出を行う手段を併せ持つと、双方の過電流検出を実施できる信頼性の高い過電流検出装置が得られる。
【００２８】
【発明の効果】
以上のように、この発明に係わる請求項１記載の過電流検出装置は、バランサリアクトルを備えてパラレル運転され、出力が結合される第１および第２のインバータ装置と、該第１および第２のインバータ装置の出力側に接続された負荷と、上記第１のインバータ装置の出力電流を検出する第１の電流検出器と、上記第１および第２のインバータ装置の結合された出力電流を検出する第２の電流検出器と、上記第１および第２の電流検出器で検出される各電流値ＩＡ、ＩＢにより、上記バランサリアクトルを介して上記第１および第２のインバータ装置間に流れる循環電流値（ＩＡ−（ＩＢ／２））を演算する手段と、この演算された循環電流値が予め設定された基準値を越えると過電流と判断する手段とを備えたため、第２のインバータ装置の出力電流を検出する電流検出器が無くても、バランサリアクトルの保護が可能になり、検出器が削減できコスト低減も図れるとともに、装置設計上の自由度も向上する。
【００２９】
またこの発明に係わる請求項２記載の過電流検出装置は、バランサリアクトルを備えてパラレル運転され、出力が結合される第１および第２のインバータ装置と、該第１および第２のインバータ装置の出力側に変圧器を介して接続された負荷と、上記第１のインバータ装置の出力電流を検出する第１の電流検出器と、上記第１および第２のインバータ装置の結合された出力電流を上記変圧器の上記負荷側で検出する第２の電流検出器と、上記第１および第２の電流検出器で検出される各電流値ＩＡ、ＩＢおよび上記変圧器の巻き数比ｋにより、上記バランサリアクトルを介して上記第１および第２のインバータ装置間に流れる循環電流値（ＩＡ−（ＩＢ／２ｋ））を演算する手段と、この演算された循環電流値が予め設定された基準値を越えると過電流と判断する手段とを備えたため、第２のインバータ装置の出力電流を検出する電流検出器が無くても、バランサリアクトルの保護が可能になり、検出器が削減できコスト低減も図れるとともに、装置設計上の自由度も向上する。
【００３０】
またこの発明に係わる請求項３記載の過電流検出装置は、バランサリアクトルを備えてパラレル運転され、出力が結合される第１および第２のインバータ装置と、該第１および第２のインバータ装置の出力側に接続された負荷と、上記第１のインバータ装置の出力電流を検出する第１の電流検出器と、上記第１および第２のインバータ装置の結合された出力電流を検出する第２の電流検出器と、上記第１および第２の電流検出器で検出される各電流値ＩＡ、ＩＢにより、上記第２のインバータ装置の出力電流値（ＩＢ−ＩＡ）を演算する手段と、この演算された出力電流値が予め設定された基準値を越えると過電流と判断する手段とを備えたため、第２のインバータ装置の出力電流を検出する電流検出器が無くても、第２のインバータ装置およびバランサリアクトルの保護が可能になり、検出器が削減できコスト低減も図れるとともに、装置設計上の自由度も向上する。
【００３１】
またこの発明に係わる請求項４記載の過電流検出装置は、バランサリアクトルを備えてパラレル運転され、出力が結合される第１および第２のインバータ装置と、該第１および第２のインバータ装置の出力側に変圧器を介して接続された負荷と、上記第１のインバータ装置の出力電流を検出する第１の電流検出器と、上記第１および第２のインバータ装置の結合された出力電流を上記変圧器の上記負荷側で検出する第２の電流検出器と、上記第１および第２の電流検出器で検出される各電流値ＩＡ、ＩＢおよび上記変圧器の巻き数比ｋにより、上記第２のインバータ装置の出力電流値（（ＩＢ／ｋ）−ＩＡ）を演算する手段と、この演算された出力電流値が予め設定された基準値を越えると過電流と判断する手段とを備えたため、第２のインバータ装置の出力電流を検出する電流検出器が無くても、第２のインバータ装置およびバランサリアクトルの保護が可能になり、検出器が削減できコスト低減も図れるとともに、装置設計上の自由度も向上する。
【００３２】
またこの発明に係わる請求項５記載の過電流検出装置は、請求項１〜４のいずれかにおいて、出力電流を検出する電流検出器をそれぞれに備えた複数個の既設インバータ装置が変圧器を介して多段接続されて、第２の電流検出器を備えて負荷に電力を供給し、上記既設インバータ装置のいずれかを第１の電流検出器を備えた第１のインバータ装置として、該第１のインバータ装置にバランサリアクトルを配して第２のインバータ装置を増設して出力電流を増大させ、上記第１および第２の電流検出器で検出される各電流値を用いて、上記バランサリアクトルを介して上記第１および第２のインバータ装置間に流れる循環電流、あるいは上記第２のインバータ装置の出力電流の過電流を検出するため、増設する第２のインバータ装置に電流検出器が無くても、第２のインバータ装置およびバランサリアクトルの保護が可能になり、検出器が削減できコスト低減も図れるとともに、装置設計上の自由度が向上し、インバータ装置の増設が容易になる。
【図面の簡単な説明】
【図１】この発明の実施の形態１による過電流検出装置を示す回路図である。
【図２】この発明の実施の形態２による過電流検出装置を示す回路図である。
【図３】この発明の実施の形態３による過電流検出装置を示す回路図である。
【図４】この発明の実施の形態４による過電流検出装置を示す回路図である。
【図５】従来の異常検出装置を示す回路図である。
【符号の説明】
１５〜１８  既設のインバータ装置、
１９  既設のインバータ装置としての第１のインバータ装置、
２０  増設インバータ装置としての第２のインバータ装置、
２１  バランサリアクトル、２３〜２６  変圧器、２７  第１の電流検出器、
２８  第２の電流検出器、３０  変圧器。
【図１】
0003562789.tif 000002
【図２】
0003562789.tif 000003
【図３】
0003562789.tif 000004
【図４】
0003562789.tif 000005
【図５】
0003562789.tif 000006